(57)【要約】【課題】脱臭性能を向上できる冷蔵庫を提供する。【解決手段】貯蔵室２内に配されて吸込口３０ａ及び吹出口３０ｃが開口する筐体２１と、筐体２１内に形成して吸込口３０ａと吹出口３０ｃとを連通させる空気通路３０と、空気通路３０内に配される送風機４０と、空気通路３０内に配されてオゾンを発生するオゾン発生部５０と、オゾン発生部５０の下流に配されてオゾンを吸着するオゾン触媒７０と、オゾン発生部５０とオゾン触媒７０との間に配して乱流を形成する乱流形成部３７ａ、３７ｂとを備えた。【選択図】図３
2012083020.tif 000002
【特許請求の範囲】
【請求項１】
貯蔵室内に配されて吸込口及び吹出口が開口する筐体と、前記筐体内に形成して前記吸込口と前記吹出口とを連通させる空気通路と、前記空気通路内に配される送風機と、前記空気通路内に配されてオゾンを発生するオゾン発生部と、前記オゾン発生部の下流に配されてオゾンを吸着するオゾン触媒と、前記オゾン発生部と前記オゾン触媒との間に配して乱流を形成する乱流形成部とを備えたことを特徴とする冷蔵庫。
【請求項２】
前記乱流形成部は前記空気通路の壁面に立設される複数のピンから成ることを特徴とする請求項１に記載の冷蔵庫。
【請求項３】
前記ピンの断面形状が上流端から下流側に向かって広げられることを特徴とする請求項２に記載の冷蔵庫。
【請求項４】
前記吸込口が前記筐体の後部に設けられるとともに前記吹出口が前記筐体の前部に設けられ、前記空気通路が前記オゾン発生部と前記オゾン触媒との間で下方に屈曲した後、更に屈曲して前方に延びることを特徴とする請求項１〜請求項３のいずれかに記載の冷蔵庫。
【発明の詳細な説明】
【技術分野】
【０００１】
本発明は、オゾンによる脱臭を行う脱臭ユニットを備えた冷蔵庫に関する。
【背景技術】
【０００２】
従来の冷蔵庫は特許文献１に開示されている。この冷蔵庫は貯蔵室の天面後部にオゾンによる脱臭を行う脱臭ユニットが設置される。脱臭ユニットは空気通路を形成する筐体により覆われる。筐体の後端下面には吸込口が開口し、前部下面及び前面には第１吹出口及び第２吹出口がそれぞれ開口する。
【０００３】
吸込口から延びる空気通路はダンパを介して分岐し、第１吹出口に連通する第１分岐通路と第２吹出口に連通する第２分岐通路とを有している。吸込口から空気通路に流入した気流はダンパの切り替えによって第１吹出口及び第２吹出口に択一的に導かれる。また、第２分岐通路にはオゾン触媒が設けられる。
【０００４】
空気通路の後部には軸流ファンから成る送風機が配される。送風機は軸方向を鉛直に配され、下面に吸気口を開口して上面に排気口が開口する。吸気口は筐体の吸込口に面して配され、空気通路は排気口の上方で屈曲して前方に延びて形成される。
【０００５】
送風機とダンパとの間にはイオン発生装置が配される。イオン発生装置は空気通路の壁面を形成するイオン発生面に電極が設けられる。電極は所定の電圧の印加によって放電し、イオン発生面からプラスイオン及びマイナスイオンが放出される。また、電極に印加する電圧をより高くすると、放電によってイオン発生面からイオン及びオゾンが放出される。
【０００６】
上記構成の冷蔵庫において、送風機及びイオン発生装置が駆動されると、貯蔵室内の空気が筐体の下面の吸込口から脱臭ユニットの空気通路に流入する。脱臭ユニットの空気通路に流入した空気は吸気口を介して送風機を上方に通過する。送風機を通過した空気は排気口の上方から前方に向かって流通し、イオン発生装置のイオン発生面上を通過する。
【０００７】
ダンパによって第２分岐通路を閉じて第１分岐通路が開かれた場合は、イオン発生装置の電極に所定の電圧が印加されて気流にイオンが含まれる。イオンを含む空気は第１分岐通路を流通し、第１吹出口から貯蔵室内に送出される。貯蔵室に送出されたプラスイオン及びマイナスイオンから生成される［・ＯＨ］（水酸基ラジカル）やＨ２Ｏ２（過酸化水素）によって貯蔵室内が除菌される。
【０００８】
ダンパによって第１分岐通路を閉じて第２分岐通路が開かれた場合は、イオン発生装置の電極により高い電圧が印加されて気流にイオン及びオゾンが含まれる。イオンから生成される［・ＯＨ］やＨ２Ｏ２とオゾンとによって空気通路内を流通する気流の臭気成分が分解される。オゾンは第２分岐通路に配されたオゾン触媒によって吸着され、オゾンを除去された気流が第２吹出口から送出される。これにより、貯蔵室内の脱臭を行うことができる。
【先行技術文献】
【特許文献】
【０００９】
【特許文献１】特開２００７−１７０７８１号公報（第５頁−第１３頁、第５図）
【発明の概要】
【発明が解決しようとする課題】
【００１０】
しかしながら、上記従来の冷蔵庫によると、オゾンにより脱臭された空気が送出される第２吹出口が筐体の前面に配され、第２分岐通路が空気通路の後部に対して略一直線上に形成される。このため、第２分岐通路を流通する気流が略層流状態になり、冷蔵室内から取り込まれた空気内の臭気成分とオゾンとが十分接触しない。特に、脱臭ユニットを小型化すると空気通路の流路が短いため臭気成分とオゾンとの接触がより減少する。従って、オゾンによる脱臭性能が低下する問題があった。
【００１１】
本発明は、脱臭性能を向上できる冷蔵庫を提供することを目的とする。
【課題を解決するための手段】
【００１２】
上記目的を達成するために本発明は、貯蔵室内に配されて吸込口及び吹出口が開口する筐体と、前記筐体内に形成して前記吸込口と前記吹出口とを連通させる空気通路と、前記空気通路内に配される送風機と、前記空気通路内に配されてオゾンを発生するオゾン発生部と、前記オゾン発生部の下流に配されてオゾンを吸着するオゾン触媒と、前記オゾン発生部と前記オゾン触媒との間に配して乱流を形成する乱流形成部とを備えたことを特徴としている。
【００１３】
この構成によると、脱臭ユニットは貯蔵室内に配され、送風機が駆動されると貯蔵室内の空気が筐体に設けた吸込口から空気通路に流入する。空気通路に流入した空気は空気通路を流通し、オゾン発生部により発生するオゾンが含まれる。オゾンを含む気流は乱流形成部で乱流が形成され、オゾンに接触した空気中の臭気成分が分解される。空気中のオゾンはオゾン触媒に吸着され、オゾンを除去した空気が貯蔵室に送出される。
【００１４】
また本発明は、上記構成の冷蔵庫において、前記乱流形成部は前記空気通路の壁面に立設される複数のピンから成ることを特徴としている。この構成によると、空気通路を流通する空気は複数のピンに衝突して乱流を形成する。
【００１５】
また本発明は、上記構成の冷蔵庫において、前記ピンの断面形状が上流端から下流側に向かって広げられることを特徴としている。この構成によると、空気通路を流通する空気はピンの上流端からピンの周面に沿って広げられて流通し、ピンの下流側に渦を発生して乱流を形成する。
【００１６】
また本発明は、上記構成の冷蔵庫において、前記吸込口が前記筐体の後部に設けられるとともに前記吹出口が前記筐体の前部に設けられ、前記空気通路が前記オゾン発生部と前記オゾン触媒との間で下方に屈曲した後、更に屈曲して前方に延びることを特徴としている。この構成によると、空気通路の経路が長く形成され、オゾンに接触する臭気成分が増加する。
【発明の効果】
【００１７】
本発明によると、空気通路内のオゾン発生部とオゾン触媒との間に乱流を形成する乱流形成部を設けたので、空気通路を流通する空気とオゾンとを十分混合させることができ、冷蔵庫の脱臭性能を向上させることができる。
【図面の簡単な説明】
【００１８】
【図１】本発明の実施形態の冷蔵庫を示す側面断面図
【図２】本発明の実施形態の冷蔵庫の脱臭ユニットを示す上面図
【図３】本発明の実施形態の冷蔵庫の脱臭ユニットを示す側面断面図
【図４】本発明の実施形態の冷蔵庫の脱臭ユニットの内部を示す上面図
【図５】本発明の実施形態の冷蔵庫の脱臭ユニットのダンパを示す斜視図
【図６】本発明の実施形態の冷蔵庫の脱臭ユニットの脱臭モード時の状態を示す側面断面図
【図７】図３のＡ矢視図
【図８】本発明の実施形態の冷蔵庫の脱臭ユニットのピンを示す断面図
【図９】本発明の実施形態の冷蔵庫の脱臭ユニットの他のピンを示す断面図
【図１０】本発明の実施形態の冷蔵庫の脱臭ユニットの他のピンを示す断面図
【発明を実施するための形態】
【００１９】
以下に本発明の実施形態を図面を参照して説明する。図１は一実施形態の冷蔵庫を示す側面断面図である。冷蔵庫１は発泡樹脂１０ａを充填した断熱箱体１０によって複数の貯蔵室が区画して設けられる。断熱箱体１０の上部には扉２ａで開閉される冷蔵室２が配される。冷蔵室２の下方には製氷室３が配され、製氷室３の下方には製氷室３に連通する冷凍室５が配される。
【００２０】
冷凍室５の後方には冷気通路１１が設けられ、冷気通路１１内には冷却器１４及び冷凍室送風機１５が配される。冷気通路１１には冷気の吐出口（不図示）及び冷却器１４に冷気を戻す戻り口（不図示）が設けられる。
【００２１】
冷蔵室２の後方には冷蔵室ダンパ（不図示）を介して冷気通路１１に連通する冷気通路１２が設けられる。冷気通路１２の両側面には冷気の吐出口（不図示）が開口するとともに、冷蔵室２内の冷気を冷却器１４の上流側に戻す連通路（不図示）が設けられている。
【００２２】
冷気通路１２の背面側には循環ダクト１３が配される。循環ダクト１３は冷蔵室２内の空気が流入する流入口（不図示）を両側面に開口する。冷蔵室２の天面後部にはイオンを送出する脱臭ユニット２０が配され、循環ダクト１３の上面は開口して脱臭ユニット２０に連結される。
【００２３】
図２、図３は脱臭ユニット２０の上面図及び側面断面図を示している。脱臭ユニット２０は各構成部品を収納して内部に空気通路３０を形成する樹脂成形品の筐体２１を備えている。筐体２１は上面を開口する本体部２１ａと、本体部２１ａの上面の一部を覆う上面カバー２１ｂとから成っている。図４は上面カバー２１ｂを取り外した状態を示している。
【００２４】
図２〜図４において、筐体２１の後端の下面には気流の吸込口３０ａが開口する。吸込口３０ａは循環経路１３（図１参照）に連結され、循環経路１３を流通する空気が吸込口３０ａを介して脱臭ユニット２０内に流入する。筐体２１の前面上部には第１吹出口３０ｂが開口し、前面下部には第２吹出口３０ｃが開口する。
【００２５】
空気通路３０は後述するダンパ６０を介して分岐する第１、第２分岐通路３５、３６を有する。第１分岐通路３５を介して吸込口３０ａと第１吹出口３０ｂとが連通し、第２分岐通路３６を介して吸込口３０ａと第２吹出口３０ｃとが連通する。空気通路３０を流通する空気は第１吹出口３０ｂ及び第２吹出口３０ｃの一方から送出される。
【００２６】
筐体２１の本体部２１ａの上端には両側方に延びる支持部２２が形成される。支持部２２にはネジの挿通孔２２ａが設けられる。第１吹出口３０ｂには空気通路３０の底面から上方に突出する突出部２３が設けられる。突出部２３にはネジの挿通孔２３ａが設けられる。
【００２７】
また、両支持部２２上には前後に延びるスポンジ状の緩衝材２５が貼着される。挿通孔２２ａ、２３ａに挿通したネジ（不図示）を冷蔵室２の天井面２ｂ（図１参照）に螺合し、緩衝材２５を挟んで脱臭ユニット２０が天井面２ｂに取り付けられる。これにより、空気通路３０の上壁の一部は冷蔵室２の天井面２ｂにより形成される。
【００２８】
開口した第１吹出口３０ｂが突出部２３を介してネジ止めされることにより、第１吹出口３０ｂからテストフィンガーを押入しても第１吹出口３０ｂが上下に広げられない。これにより、後述する高圧が印加されるイオン発生装置５０にテストフィンガーが届かないため、電気用品安全法（日本国）に基づく安全基準を満たすことができる。
【００２９】
空気通路３０内の後部には送風機４０が配される。送風機４０はシロッコファン等の遠心ファンから成り、ハウジングの下面に吸気口４０ａを開口して前面に排気口４０ｂを開口する。遠心ファンは周接線方向に排気するため、排気口４０ｂは左右方向の一方に偏って設けられる。
【００３０】
空気通路３０には送風機４０の下方に所定の高さ（例えば、１０ｍｍ）の流入部３１が設けられる。送風機４０の駆動によって吸込口３０ａから空気通路３０に空気が流入し、流入部３１を介して送風機４０に気流が導かれる。
【００３１】
空気通路３０には送風機４０の下流側に絞り部３２が設けられる。絞り部３２は送風機４０の排気口４０ｂに対向して傾斜する傾斜面３２ａを有し、空気通路３０の流路が上下方向に絞られる。絞り部３２によって気流の風速を増加させることができる。
【００３２】
筐体２１には上面を開口してイオン発生装置５０を収納する凹部２６が傾斜面３２ａの前方に設けられる。筐体２１の本体部２１ａの内面は金型を上方に抜いて形成されるため、凹部２６は傾斜面３２ａに略直交して連続する後壁２６ａと略鉛直の前壁２６ｂとを有している。
【００３３】
イオン発生装置５０はイオン発生面５０ａ上にプラスイオン発生部５１及びマイナスイオン発生部５２が左右に並設される。プラスイオン発生部５１及びマイナスイオン発生部５２は高圧電圧の印加によりイオンを発生する電極（不図示）を有している。
【００３４】
イオン発生装置５０の電極は交流波形またはインパルス波形から成る電圧の印加によって放電する。プラスイオン発生部５１の電極には正電圧が印加される。これにより、電離によって発生するイオンが空気中の水分と結合して主としてＨ＋（Ｈ２Ｏ）ｍから成る電荷が正のクラスタイオンがイオン発生面５０ａから放出される。マイナスイオン発生部５２の電極には負電圧が印加される。これにより、電離によって発生するイオンが空気中の水分と結合して主としてＯ２−（Ｈ２Ｏ）ｎから成る電荷が負のクラスタイオンがイオン発生面５０ａから放出される。ここで、ｍ、ｎは任意の自然数である。
【００３５】
Ｈ＋（Ｈ２Ｏ）ｍ及びＯ２−（Ｈ２Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ２Ｏ２（過酸化水素）を浮遊菌や臭い成分等の表面上で凝集生成してこれらを破壊する。ここで、ｍ’、ｎ’は任意の自然数である。従って、プラスイオン及びマイナスイオンを含む気流を冷蔵室２に送出することによって冷蔵室２内の殺菌や臭い除去を行うことができる。
【００３６】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ    ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００３７】
また、イオン発生装置５０の電極の印加電圧をより高くして放電量を多くするとイオンに加えてオゾンが発生する。これにより、脱臭ユニット２０内に取り込まれた空気に含まれる硫化水素、メチルアミン等の臭気成分をオゾンによって分解することができる。従って、イオン発生装置５０はオゾンを発生するオゾン発生部を構成し、オゾンの発生によってイオンによる脱臭よりも強力な脱臭を行うことができる。この時、冷蔵室２内にオゾンを漏出させないために、後述するオゾン触媒７０によってオゾンを吸着する。
【００３８】
イオン発生装置５０は凹部２６の底面及び後壁２６ａ上に設置され、上面カバー２１ｂから下方に突出して下面がＬ字状のリブ２１ｃがイオン発生面５０ａに当接する。これにより、イオン発生装置５０が凹部２６とリブ２１ｃとに挟まれて固定される。尚、リブ２１ｃはプラスイオン発生部５１とマイナスイオン発生部５２との間に配される。
【００３９】
また、イオン発生面５０ａは絞り部３２の傾斜面３２ａに沿って配され、絞り部３２の壁面を形成する。これにより、イオン発生面５０ａが送風機４０の排気口４０ｂに対向する。このため、排気口４０ｂから流出した空気は対向する傾斜面３２ａ及びイオン発生面５０ａに当接して傾斜面３２ａ及びイオン発生面５０ａに沿って流通する。
【００４０】
従って、イオン発生面５０ａで発生するイオンを絞り部３２を流通する気流に十分含ませることができる。また、絞り部３２によって気流の風速が増加されるため、イオン発生面５０ａで発生するイオンを順次送り出してイオンの衝突による消滅を低減することができる。この時、遠心ファンは圧力損失の増加に対して風量の低下が小さいため、傾斜面３２ａ及びイオン発生面５０ａが排気口４０ｂに対向しても所望の風量の空気を送出することができる。
【００４１】
凹部２６は傾斜面３２ａの前方に設けられるため、イオン発生面５０ａは絞り部３２の前部に配される。絞り部３２の前部は傾斜面３２ａによって後部に対して上下方向の流路幅が小さい。イオン発生装置５０が絞り部３２の上下方向の流路幅の小さい部分に配置されるため、凹部２６の下方への突出量を小さくすることができる。従って、脱臭ユニット２０の高さを低く形成して脱臭ユニット２０の小型化を図ることができる。
【００４２】
凹部２６の略鉛直の前壁２６ｂとイオン発生装置５０の前面との間には側面視Ｖ字状の隙間５４が形成される。隙間５４の上方はスポンジ状樹脂等の可撓性の遮蔽部材５５により覆われる。これにより、隙間５４による渦の発生を防止し、イオン発生面５０ａ上を通過した気流を円滑に前方に導くことができる。
【００４３】
凹部２６の前方には空気通路３０の両側壁を互いに接近する方向に突出して左右方向に流路を絞る左右絞り部３３が設けられる。左右絞り部３３によってプラスイオン発生部５１で発生したプラスイオンを含む気流とマイナスイオン発生部５２で発生したマイナスイオンを含む気流とが互いに接近して混合される。これにより、プラスイオンとマイナスイオンとを混合した気流を送出することができる。この時、プラスイオン発生部５１とマイナスイオン発生部５２との間を遮るリブ２１ｃが左右絞り部３３よりも後方に配される。これにより、プラスイオンとマイナスイオンとを十分混合させることができる。
【００４４】
空気通路３０内の左右絞り部３３の前方にはダンパ６０を配したダンパ室３４が設けられる。図５はダンパ６０の斜視図を示している。ダンパ６０は薄板状の支持板６１及び支持板６１の上下面にそれぞれ貼着されるパッキン６２、６３（６３は図３参照）を備えている。パッキン６２、６３はシリコンゴム等の弾性体から成っている。
【００４５】
支持板６１は樹脂成形品から成り、薄板状に形成されるため省スペース化を図ることができる。支持板６１の上面には前方が上方に傾斜する傾斜部６１ｂが突設される。パッキン６２は環状に形成され、傾斜部６１ｂの周囲に配される。
【００４６】
支持板６１の一端には左右に延びる軸部６１ａが形成される。軸部６１ａはダンパ室３４の側壁に設けた嵌合孔（不図示）に嵌合され、ダンパ６０を枢支する。軸部６１ａには筐体２１の側壁とダンパ室３４の側壁との間に配されるステッピングモータ（不図示）が連結される。ステッピングモータの駆動によってダンパ６０が回動する。
【００４７】
空気通路３０はダンパ室３４から第１分岐通路３５及び第２分岐通路３６に分岐する。空気通路３０の流路はダンパ６０によって第１分岐通路３５及び第２分岐通路３６に択一的に切り換えられる。詳細を後述するように、第１分岐通路３５を流通する気流には冷蔵室２に送出されるイオンが含まれ、第２分岐通路３６を流通する気流にはオゾン触媒７０で吸着されるオゾンが含まれる。
【００４８】
このため、第１分岐通路３５は空気通路３０の後部に対して略一直線状に配される。これにより、第１分岐通路３５を通る気流の圧力損失を小さくして冷蔵室２にイオンを送出することができる。また、第２分岐通路３６はダンパ室３４から下方に延び、屈曲して前方に延びて形成される。
【００４９】
第１分岐通路３５の上流端にはダンパ室３４に臨む連結口３５ａが傾斜面上に設けられる。第２分岐通路３６の上流端にはダンパ室３４に臨む連結口３６ａが水平面上に設けられる。図３に示すように、ダンパ６０のパッキン６３が連結口３６ａの周縁に密接すると第１分岐通路３５が開かれて第２分岐通路３６が閉じられる。また、図６に示すように、ダンパ６０のパッキン６２が連結口３５ａの周縁に密接すると第２分岐通路３６が開かれて第１分岐通路３５が閉じられる。
【００５０】
連結口３５ａ、３６ａをそれぞれ密閉するためにパッキン６２、６３の周縁は連結口３５ａ、３６ａの周縁よりも外側に配される。また、ダンパ６０の軸部６１ａはステッピングモータに連結して駆動されるため、強度を確保する必要がある。このため、軸部６１ａが支持板６１のパッキン６２、６３を貼着した部分の厚みよりも大きい径に形成される。これにより、軸部６１ａはパッキン６２、６３の周縁よりも外側に設けられ、連結口３５ａ、３６ａの前端よりも前方に配される。
【００５１】
軸部６１ａが連結口３５ａの前端よりも前方に配置されるため、連結口３５ａを開いた際にパッキン６２の上面と連結口３５ａの前端との間には隙間６４が形成される。支持板６１の上面には傾斜部６１ｂが設けられるので、気流が傾斜部６１ｂに沿って第１分岐通路３５に導かれて隙間６４への気流の流入を防止することができる。従って、圧力損失をより低減して円滑に気流を第１分岐通路３５に流通させることができる。
【００５２】
第１分岐通路３５の対向する側壁３５ｂ間の距離は前方になる程大きくなっている。これにより、第１分岐通路３５を流通する気流が左右方向に広がって第１吹出口３０ｂから冷蔵室２に送出される。従って、冷蔵室２の広い範囲にイオンを拡散させることができる。
【００５３】
この時、第１吹出口３０ｂに設けられる突出部２３の平面形状は頂点を後方に配した三角形に形成される。突出部２３の側面２３ｂは前後方向に対して傾斜し、側面２３ｂの案内によって気流を円滑に左右に広げることができる。これにより、脱臭ユニット２０を固定するために設けられる突出部２３によって気流を案内する案内部を構成し、部品点数を削減することができる。
【００５４】
尚、突出部２３は遠心ファンから成る送風機４０の偏心した排気口４０ａの左右方向の中心近傍に配される。これにより、空気通路３０を流通する気流を確実に左右に案内することができる。突出部２３の側面２３ｂは前後方向に対して傾斜した曲面により形成してもよい。
【００５５】
第２分岐通路３６内には複数のピン３７ａ、３７ｂが立設される。図７は図３のＡ矢視図を示している。ピン３７ａは第２分岐通路３６の底壁に立設され、左右方向に複数並設される。ピン３７ｂはピン３７ａの下流側に配されて第２分岐通路３６の上壁に立設され、左右方向に複数並設される。また、ピン３７ａとピン３７ｂとは左右方向にずれて千鳥状に配置される。
【００５６】
図８はピン３７ａ、３７ｂの上面断面図を示している。ピン３７ａ、３７ｂは断面円形に形成され、ピン３７ａ、３７ｂに向かって矢印Ｃに示すように流通する気流はピン３７ａ、３７ｂとの衝突によって乱流が形成される。従って、ピン３７ａ、３７ｂは乱流を形成する乱流形成部を構成する。
【００５７】
また、ピン３７ａ、３７ｂは断面形状を円形に形成されるため、上流端から下流側に向かって広げられる。このため、気流がピン３７ａ、３７ｂにより進行方向に垂直な方向に広げられ、ピン３７ａ、３７ｂの下流側に渦３８を発生する。これにより、乱流をより確実に形成することができる。
【００５８】
従って、第２分岐通路３６を通る空気とオゾンとが十分混合され、空気に含まれる臭気成分をオゾンに十分接触させることができる。また、第２分岐通路３６がダンパ室３４から下方に延び、屈曲して前方に延びて形成されるので、第２分岐通路３６の経路を長く形成することができる。これにより、オゾンに接触する臭気成分をより増加させることができる。
【００５９】
尚、ピン３７ａ、３７ｂの断面形状は図９、図１０に示すように三角形にしてもよく、楕円形にしてもよい。これにより、ピン３７ａ、３７ｂは上流端から下流側に向かって広げられ、下流側に渦３８を発生して乱流を確実に形成することができる。また、ピン３７ａとピン３７ｂとを左右方向の同じ位置に設け、前後に重なるように配置してもよい。また、ピン３７ａやピン３７ｂを第２分岐通路３６の側壁に立設してもよい。
【００６０】
第２分岐通路３６に配されるオゾン触媒７０は二酸化マンガン、酸化アルミニウム、酸化ケイ素を主成分とするコルゲートハニカム状に形成されている。これにより、オゾン触媒７０を通過する空気内に含まれたオゾンを吸着する。
【００６１】
上記構成の冷蔵庫１において、冷却器１４で生成された冷気は冷凍室送風機１５の駆動により冷気通路１１を流通して製氷室３及び冷凍室５に送出される。該冷気は製氷室３及び冷凍室５を流通し、戻り口を介して冷却器１４に戻る。これにより、製氷室３及び冷凍室５が冷却され、貯蔵物及び氷を冷凍保存する。
【００６２】
冷蔵室ダンパ（不図示）の開成により冷気通路１１を流通する冷気の一部は冷気通路１２に導かれ、冷蔵室２に送出される。これにより、冷蔵室２が冷却され、貯蔵物を冷蔵保存する。冷蔵室２を流通した冷気は連通路（不図示）を介して冷却器１４に戻る。
【００６３】
脱臭ユニット２０は使用者により選択される循環モード、除菌モード、脱臭モードによって駆動される。循環モードでは送風機４０が駆動され、イオン発生装置５０が停止される。また、ダンパ６０によって例えば、第１分岐通路３５が開かれて第２分岐通路３６が閉じられる。
【００６４】
冷蔵室２内の空気は循環ダクト１３を流通して脱臭ユニット２０の空気通路３０に流入する。空気通路３０を流通する空気は矢印Ｂ１（図３参照）に示すように第１分岐通路３５を流通し、第１吹出口３０ｂから送出される。これにより、冷蔵室２内の冷気が循環される。尚、ダンパ６０によって第２分岐通路３６を開いて第１分岐通路３５を閉じてもよい。
【００６５】
除菌モードでは送風機４０及びイオン発生装置５０が駆動される。また、ダンパ６０によって第１分岐通路３５が開かれて第２分岐通路３６が閉じられる。冷蔵室２内の空気は循環ダクト１３を流通して脱臭ユニット２０の空気通路３０に流入する。空気通路３０を流通する空気はイオン発生装置５０により発生したイオンを含み、矢印Ｂ１（図３参照）に示すように第１分岐通路３５を流通して第１吹出口３０ｂから送出される。イオンから生成される［・ＯＨ］やＨ２Ｏ２により、冷蔵室２内の除菌及び脱臭が行われる。
【００６６】
脱臭モードでは送風機４０及びイオン発生装置５０が駆動される。また、ダンパ６０によって第２分岐通路３６が開かれて第１分岐通路３５が閉じられる。冷蔵室２内の空気は循環ダクト１３を流通して脱臭ユニット２０の空気通路３０に流入する。空気通路３０を流通する空気にはイオン発生装置５０により発生したイオン及びオゾンが含まれる。
【００６７】
イオンから生成される［・ＯＨ］やＨ２Ｏ２とオゾンとによって気流に含まれる臭気成分が分解される。オゾンを含む空気は矢印Ｂ２、Ｂ３（図６参照）に示すように第２分岐通路３６を流通し、オゾン触媒７０によりオゾンが吸着される。そして、オゾンを除去された空気が第２吹出口３０ｃから送出される。これにより、冷蔵室２内の脱臭が行われ、除菌モードよりも高い脱臭効果が得られる。
【００６８】
本実施形態によると、空気通路３０内のイオン発生装置５０（オゾン発生部）とオゾン触媒７０との間に乱流を形成するピン３７ａ、３７ｂ（乱流形成部）を設けたので、空気通路３０を流通する空気とオゾンとを十分混合してオゾンにより臭気成分を分解することができる。従って、冷蔵庫１の脱臭性能を向上させることができる。
【００６９】
また、空気通路３０の壁面に立設される複数のピン３７ａ、３７ｂによって容易に乱流を形成することができる。
【００７０】
また、ピン３７ａ、３７ｂの断面形状が上流端から下流側に向かって広げられるので、ピン３７ａ、３７ｂの下流側に渦３８を発生してより確実に乱流を形成することができる。
【００７１】
また、空気通路３０の第２分岐通路３６がイオン発生装置５０とオゾン触媒７０との間で下方に屈曲した後、更に屈曲して前方に延びるので、第２分岐通路３６の経路を長く形成することができる。これにより、オゾンに接触する臭気成分がより増加し、冷蔵庫１の脱臭性能をより向上させることができる。
【００７２】
本実施形態において、空気通路３０内に二酸化マンガン、酸化第二銅及びゼオライトを主成分とするコルゲートハニカム状の低温脱臭触媒を配してもよい。これにより、低温脱臭触媒を通過する空気内に含まれたジメチルジサルファイト、トリメチルアミン、メチルメルカプタン等の臭気成分を吸着することができる。従って、オゾンにより分解できない臭気成分を吸着して脱臭効果をより向上することができる。
【産業上の利用可能性】
【００７３】
本発明によると、オゾンによる脱臭を行う脱臭ユニットを備えた冷蔵庫に利用することができる。
【符号の説明】
【００７４】
１    冷蔵庫
２    冷蔵室
３    製氷室
５    冷凍室
１０    断熱箱体
１０ａ  発泡樹脂
１１、１２  冷気通路
１３    循環通路
１４    冷却器
１５    冷凍室送風機
２０    脱臭ユニット
２１    筐体
２１ａ  本体部
２１ｂ  上面カバー
２１ｃ  リブ
２２    支持部
２３    突出部
２５    緩衝材
２６    凹部
３０    空気通路
３０ａ  吸込口
３０ｂ  第１吹出口
３０ｃ  第２吹出口
３１    流入部
３２    絞り部
３２ａ  傾斜面
３３    左右絞り部
３４    ダンパ室
３５    第１分岐通路
３５ａ、３６ａ  連通口
３６    第２分岐通路
３７ａ、３７ｂ  ピン
３８    渦
４０    送風機
４０ａ  吸気口
４０ｂ  排気口
５０    イオン発生装置
５０ａ  イオン発生面
５１    プラスイオン発生部
５２    マイナスイオン発生部
５４    隙間
５５    遮蔽部材
６０    ダンパ
６１    支持板
６１ａ  軸部
６１ｂ  傾斜部
６２、６３  パッキン
７０    オゾン触媒
【図１】
2012083020.tif 000003
【図２】
2012083020.tif 000004
【図３】
2012083020.tif 000005
【図４】
2012083020.tif 000006
【図５】
2012083020.tif 000007
【図６】
2012083020.tif 000008
【図７】
2012083020.tif 000009
【図８】
2012083020.tif 000010
【図９】
2012083020.tif 000011
【図１０】
2012083020.tif 000012